(57)【要約】【課題】検体分析装置の担当者の業務及び技能に応じて、検体分析装置を効率的且つ適切に保守することを可能とする検体分析装置管理システム、検体分析装置用管理装置、及びコンピュータプログラムを提供する。【解決手段】  検体分析装置１１に異常が生じたとき、検体分析装置１１から異常関連情報が管理サーバ３１に送信される。管理サーバ３１は、検体分析装置１１の担当者に対して、連絡の要否を問い合わせる必要がある場合に、連絡要否問合せ情報を、担当者の携帯情報端末４１へ送信する。担当者は、携帯情報端末４１に連絡の要否の回答を入力し、回答情報が管理サーバ３１に送信される。管理サーバ３１は、回答情報に応じた画面を管理クライアント３２に表示させる。【選択図】  図１
2014194401.tif 000002
【特許請求の範囲】
【請求項１】
医療施設に設置される検体分析装置と、前記検体分析装置と通信可能な管理装置と、を備える検体分析装置管理システムであって、
前記検体分析装置は、
第１通信部と、
前記検体分析装置の異常に関する情報を生成し、生成された前記異常に関する情報及び前記検体分析装置を識別するための識別情報を前記第１通信部に送信させる第１制御部と、
を具備し、
前記管理装置は、
検体分析装置を識別するための識別情報と、前記医療施設における検体分析装置の担当者のアドレスとを対応付けて記憶する記憶部と、
第２通信部と、
前記第２通信部が前記異常に関する情報及び前記識別情報を受信した場合に、受信された前記識別情報に対応するアドレスへ、前記検体分析装置を保守管理する保守業者からの連絡の要否を前記担当者に問い合わせるための問合せ情報を、前記第２通信部に送信させる第２制御部と、
を具備する、
検体分析装置管理システム。
【請求項２】
前記第２制御部は、前記第２通信部が前記問い合わせ情報に対する回答を示す回答情報を受信した場合に、前記保守業者が使用する表示端末において前記回答を表示するために、前記回答情報を前記第２通信部に送信させるように構成されている、
請求項１に記載の検体分析装置管理システム。
【請求項３】
前記記憶部は、１つの検体分析装置の識別情報に対応付けて、複数の担当者のアドレスを、通知順位を付して記憶しており、
前記第２制御部は、前記第２通信部が前記異常に関する情報及び前記識別情報を受信した場合に、前記通知順位にしたがって、受信された前記識別情報に対応するアドレスへ、前記問い合わせ情報を前記第２通信部に送信させるように構成されている、
請求項２に記載の検体分析装置管理システム。
【請求項４】
前記第２制御部は、一のアドレスへ前記問い合わせ情報を送信した後、前記第２通信部が前記回答情報を受信することなく所定時間経過した場合に、前記アドレスより通知順位が下位の他のアドレスへ、前記問い合わせ情報を前記第２通信部に送信させるように構成されている、
請求項３に記載の検体分析装置管理システム。
【請求項５】
前記第２制御部は、前記第２通信部によって受信された異常に関する情報に基づいて、前記問合せ情報を送信するか否かを判断し、前記問合せ情報を送信すると判断した場合に、受信された前記識別情報に対応するアドレスへ、前記問合せ情報を第２通信部に送信させるように構成されている、
請求項１乃至４の何れか１項に記載の検体分析装置管理システム。
【請求項６】
前記アドレスは、担当者が保有する携帯情報端末のアドレスである、
請求項１乃至５の何れか１項に記載の検体分析装置管理システム。
【請求項７】
前記問合せ情報は、携帯情報端末の表示部に、前記保守業者からの電話連絡の要否を選択するための画面を表示させるための情報である、
請求項６に記載の検体分析装置管理システム。
【請求項８】
前記携帯情報端末から電話連絡の指定時刻を示す指定時刻情報が送信され、前記第２通信部が前記指定時刻情報を受信した場合に、前記第２制御部は、前記指定時刻情報によって示される指定時刻を前記保守業者が使用する表示端末において表示するために、前記指定時刻を示す指定時刻情報を前記第２通信部に送信させるように構成されている、
請求項７に記載の検体分析装置管理システム。
【請求項９】
検体分析装置の識別情報を携帯情報端末により読み出し可能に保持する識別情報保持部をさらに備え、
前記識別情報保持部から前記識別情報を読み出した前記携帯情報端末から前記識別情報及び前記携帯情報端末のアドレスを含む登録依頼情報が送信され、前記第２通信部が前記登録依頼情報を受信した場合に、前記第２制御部は、前記登録依頼情報に含まれる前記識別情報及び前記アドレスを対応付けて前記記憶部に記憶させるように構成されている、
請求項６乃至８の何れか１項に記載の検体分析装置管理システム。
【請求項１０】
検体分析装置の識別情報及び通知順位を携帯情報端末により読み出し可能に保持する識別情報保持部をさらに備え、
前記識別情報保持部から前記識別情報及び通知順位を読み出した、担当者が保有する前記携帯情報端末から、前記識別情報、通知順位、及び前記携帯情報端末のアドレスを含む登録依頼情報が送信され、前記第２通信部が前記登録依頼情報を受信した場合に、前記第２制御部は、前記登録依頼情報に含まれる前記識別情報、前記通知順位、及び前記アドレスを対応付けて前記記憶部に記憶させるように構成されている、
請求項３又は４に記載の検体分析装置管理システム。
【請求項１１】
前記異常に関する情報は、前記検体分析装置による精度管理試料の分析結果を含み、
前記第２制御部は、前記第２通信部によって受信された前記精度管理試料の分析結果が所定の範囲内であるか否かを判断することで、前記問合せ情報を送信するか否かを判断するように構成されている、
請求項５に記載の検体分析装置管理システム。
【請求項１２】
前記第１制御部は、生成された前記異常に関する情報及び前記識別情報に加えて、前記検体分析装置の保守業者を示す保守業者情報を前記第１通信部に送信させるように構成されており、
前記第２制御部は、
前記第２通信部が前記異常に関する情報、前記識別情報、及び前記保守業者情報を受信した場合に、前記保守業者情報に示される前記保守業者が保有する保守管理装置へ、前記異常に関する情報及び前記識別情報を前記第２通信部に送信させ、
前記保守管理装置が前記保守業者からの連絡の要否に関する前記担当者への問合せの依頼情報を送信し、前記第２通信部が前記依頼情報を受信した場合に、受信された前記識別情報に対応するアドレスへ、前記問合せ情報を、前記第２通信部に送信させるように構成されている、
請求項１乃至１１の何れか１項に記載の検体分析装置管理システム。
【請求項１３】
医療施設に設置される検体分析装置と通信可能な検体分析装置用管理装置であって、
検体分析装置を識別するための識別情報と、前記医療施設における検体分析装置の担当者のアドレスとを対応付けて記憶する記憶部と、
通信部と、
前記検体分析装置から送信された、前記検体分析装置の異常に関する情報及び前記検体分析装置を識別するための識別情報を前記通信部が受信した場合に、受信された前記識別情報に対応するアドレスへ、前記検体分析装置を保守管理する保守業者からの連絡の要否を前記担当者に問い合わせるための問合せ情報を、前記通信部に送信させる制御部と、
を備える、
検体分析装置用管理装置。
【請求項１４】
医療施設に設置された検体分析装置の担当者によって使用され、通信部と、入力部と、表示部とを備えるコンピュータに、
前記検体分析装置に発生した異常に関して前記検体分析装置を保守管理する保守業者からの連絡の要否を前記担当者に問い合わせるための問合せ情報を前記通信部が受信した場合に、前記検体分析装置に発生した異常の種類、前記保守業者からの連絡を要求するための選択可能な要求部、及び前記管理者からの連絡が不要であることを通知するための選択可能な通知部を含む問合せ画面を前記表示部に表示させるステップと、
入力部により前記要求部を選択する入力を受け付けた場合に、前記保守業者からの連絡を要求する要求情報を、前記保守業者が保有する管理装置へ前記通信部に送信させるステップと、
入力部により前記通知部を選択する入力を受け付けた場合に、前記保守業者からの連絡が不要であることを通知するための通知情報を、前記保守業者が保有する管理装置へ前記通信部に送信させるステップと、
を実行させる、
コンピュータプログラム。
【発明の詳細な説明】
【技術分野】
【０００１】
本発明は、医療施設に設置された検体分析装置を管理するための検体分析装置管理システム及び検体分析装置用管理装置、並びに前記検体分析装置管理システムに使用されるコンピュータプログラムに関する。
【背景技術】
【０００２】
病院、医院、検査センター等の医療施設において、患者等の被験者から採取された検体を分析するために検体分析装置が用いられている。かかる検体分析装置の保守管理は、当該検体分析装置のメーカー、メンテナンス会社等の保守業者によって行われる。
【０００３】
特許文献１には、血液分析装置において、ユーザ側では対処することが困難でメンテナンス会社のサービスマンがいないと復帰困難な緊急エラーが発生した場合に、血液分析装置から緊急エラー情報を取得したパソコンが、緊急エラーメールをメンテナンス用管理装置へ送信し、緊急エラーメールを受信したメンテナンス用管理装置が緊急サービス処理を行う臨床検体処理システムが開示されている。かかる特許文献１に記載された臨床検体処理システムでは、緊急サービス処理として、メンテナンスを行うサービスマンがユーザに電話等により連絡し、直ちにユーザに出向いて血液分析装置の復帰処理を行うようになっている。
【０００４】
また、特許文献２には、分析装置のログイン時に、操作者が転送先である端末装置を入力し、この転送先が管理サーバで登録され、分析装置に異常が発生したときに、分析装置から管理サーバへ異常情報を送信し、管理サーバがこの異常情報を転送先へ転送する管理システムが開示されている。
【先行技術文献】
【特許文献】
【０００５】
【特許文献１】特開２００５−３２６１８２号公報
【特許文献２】特開２００８−２０３１０号公報
【発明の概要】
【発明が解決しようとする課題】
【０００６】
上述したように、特許文献１に記載された検体処理システムにあっては、検体分析装置に緊急エラーが発生した場合に、即座にサービスマンから担当者に電話等による連絡が入ることとなるが、医療施設における検体分析装置の担当を行う検査技師、医師等は、検体分析装置の保守業務以外の業務を有しており、いつでも保守業務に取りかかれる訳ではなく、サービスマンからの連絡に対応できないことがある。
【０００７】
また、特許文献２に記載された管理システムにあっては、担当者の携帯端末に異常情報が送信されることになるが、担当者が異常情報を確認して、その対処を判断する必要がある。特許文献２には、異常情報として、反応容器、試薬容器又は検体容器の搬送異常、分析装置を構成する各機構の動作異常などがあることが記載されているが、このような異常情報を担当者が確認したとしても、どのように対処すれば復旧させることができるのかを判断することができない場合がある。
【０００８】
本発明は斯かる事情に鑑みてなされたものであり、その主たる目的は、検体分析装置の担当者の業務及び技能に応じて、検体分析装置を効率的且つ適切に保守することを可能とする検体分析装置管理システム、検体分析装置用管理装置、及びコンピュータプログラムを提供することを目的とする。
【課題を解決するための手段】
【０００９】
上述した課題を解決するために、本発明の一の態様の検体分析装置管理システムは、医療施設に設置される検体分析装置と、前記検体分析装置と通信可能な管理装置と、を備える検体分析装置管理システムであって、前記検体分析装置は、第１通信部と、前記検体分析装置の異常に関する情報を生成し、生成された前記異常に関する情報及び前記検体分析装置を識別するための識別情報を前記第１通信部に送信させる第１制御部と、を具備し、前記管理装置は、検体分析装置を識別するための識別情報と、前記医療施設における検体分析装置の担当者のアドレスとを対応付けて記憶する記憶部と、第２通信部と、前記第２通信部が前記異常に関する情報及び前記識別情報を受信した場合に、受信された前記識別情報に対応するアドレスへ、前記検体分析装置を保守管理する保守業者からの連絡の要否を前記担当者に問い合わせるための問合せ情報を、前記第２通信部に送信させる第２制御部と、を具備する。
【００１０】
これにより、担当者は、保守業者からの連絡を受けられない場合には連絡が不要であることを回答し、保守業者からの連絡を受けられる場合には連絡を要求するように回答する等、自分の業務に応じて問合せに対する回答を行うことが可能となる。また、検体分析装置の状態及び発生した異常が、自分だけで対応可能な場合には連絡が不要であることを回答し、保守業者でなければ復旧できない場合には連絡を要求するように回答する等、自分の保守作業の技能又は知識等に応じて問合せに対する回答を行うことが可能となる。
【００１１】
この態様において、前記第２制御部は、前記第２通信部が前記問い合わせ情報に対する回答を示す回答情報を受信した場合に、前記保守業者が使用する表示端末において前記回答を表示するために、前記回答情報を前記第２通信部に送信させるように構成されていてもよい。これにより、保守業者が回答を確認し、回答情報にしたがった対応を取ることが可能となる。
【００１２】
この態様において、前記記憶部は、１つの検体分析装置の識別情報に対応付けて、複数の担当者のアドレスを、通知順位を付して記憶しており、前記第２制御部は、前記第２通信部が前記異常に関する情報及び前記識別情報を受信した場合に、前記通知順位にしたがって、受信された前記識別情報に対応するアドレスへ、前記問い合わせ情報を前記第２通信部に送信させるように構成されていてもよい。これにより、通知順位の高い担当者が問合せに回答することができない場合でも、通知順位の低い他の担当者が問合せに回答することが可能となる。
【００１３】
この態様において、前記第２制御部は、一のアドレスへ前記問い合わせ情報を送信した後、前記第２通信部が前記回答情報を受信することなく所定時間経過した場合に、前記アドレスより通知順位が下位の他のアドレスへ、前記問い合わせ情報を前記第２通信部に送信させるように構成されていてもよい。これにより、通知順位の高い担当者が問合せに回答しないまま長時間が経過することなく、通知順位の低い担当者が問合せに回答することが可能となる。
【００１４】
この態様において、前記第２制御部は、前記第２通信部によって受信された異常に関する情報に基づいて、前記問合せ情報を送信するか否かを判断し、前記問合せ情報を送信すると判断した場合に、受信された前記識別情報に対応するアドレスへ、前記問合せ情報を第２通信部に送信させるように構成されていてもよい。これにより、担当者へ連絡が不要な軽微な異常等の場合に、問合せ情報が送信されることがなく、担当者が問合せに回答する負担を軽減することが可能となる。
【００１５】
この態様において、前記アドレスは、担当者が保有する携帯情報端末のアドレスであってもよい。これにより、担当者が常備する携帯情報端末に問合せ情報が送信されるので、担当者がいる場所を問わず、担当者が問合せ情報を確認することが可能となる。
【００１６】
この態様において、前記問合せ情報は、携帯情報端末の表示部に、前記保守業者からの電話連絡の要否を選択するための画面を表示させるための情報であってもよい。これにより、担当者は、携帯情報端末の表示部を確認することで、問合せに対して容易に回答することができる。
【００１７】
この態様において、前記携帯情報端末から電話連絡の指定時刻を示す指定時刻情報が送信され、前記第２通信部が前記指定時刻情報を受信した場合に、前記第２制御部は、前記指定時刻情報によって示される指定時刻を前記保守業者が使用する表示端末において表示するために、前記指定時刻を示す指定時刻情報を前記第２通信部に送信させるように構成されていてもよい。これにより、保守業者は、担当者が対応可能な時刻に電話等で担当者に連絡することができ、効率的に保守作業を行うことが可能となる。
【００１８】
この態様において、前記検体分析装置管理システムは、検体分析装置の識別情報を携帯情報端末により読み出し可能に保持する識別情報保持部をさらに備え、前記識別情報保持部から前記識別情報を読み出した前記携帯情報端末から前記識別情報及び前記携帯情報端末のアドレスを含む登録依頼情報が送信され、前記第２通信部が前記登録依頼情報を受信した場合に、前記第２制御部は、前記登録依頼情報に含まれる前記識別情報及び前記アドレスを対応付けて前記記憶部に記憶させるように構成されていてもよい。これにより、担当者は、携帯情報端末によって識別情報保持部に保持された識別情報を読み出すことで、管理装置における識別情報及びアドレスの登録を容易に行うことが可能となる。
【００１９】
この態様において、前記検体分析装置管理システムは、検体分析装置の識別情報及び通知順位を携帯情報端末により読み出し可能に保持する識別情報保持部をさらに備え、前記識別情報保持部から前記識別情報及び通知順位を読み出した、担当者が保有する前記携帯情報端末から、前記識別情報、通知順位、及び前記携帯情報端末のアドレスを含む登録依頼情報が送信され、前記第２通信部が前記登録依頼情報を受信した場合に、前記第２制御部は、前記登録依頼情報に含まれる前記識別情報、前記通知順位、及び前記アドレスを対応付けて前記記憶部に記憶させるように構成されていてもよい。これにより、担当者は、携帯情報端末によって識別情報保持部に保持された識別情報及び通知順位を読み出すことで、管理装置における識別情報、アドレス、及び通知順位の登録を容易に行うことが可能となる。
【００２０】
この態様において、前記異常に関する情報は、前記検体分析装置による精度管理試料の分析結果を含み、前記第２制御部は、前記第２通信部によって受信された前記精度管理試料の分析結果が所定の範囲内であるか否かを判断することで、前記問合せ情報を送信するか否かを判断するように構成されていてもよい。これにより、精度管理試料の分析結果が異常である場合に、担当者に保守業者からの連絡の要否を問い合わせることが可能となる。
【００２１】
この態様において、前記第１制御部は、生成された前記異常に関する情報及び前記識別情報に加えて、前記検体分析装置の保守業者を示す保守業者情報を前記第１通信部に送信させるように構成されており、前記第２制御部は、前記第２通信部が前記異常に関する情報、前記識別情報、及び前記保守業者情報を受信した場合に、前記保守業者情報に示される前記保守業者が保有する保守管理装置へ、前記異常に関する情報及び前記識別情報を前記第２通信部に送信させ、前記保守管理装置が前記保守業者からの連絡の要否に関する前記担当者への問合せの依頼情報を送信し、前記第２通信部が前記依頼情報を受信した場合に、受信された前記識別情報に対応するアドレスへ、前記問合せ情報を、前記第２通信部に送信させるように構成されていてもよい。これにより、管理装置を保有する業者と、保守業者とが異なっていても、検体分析装置に異常が生じた場合に、担当者に保守業者からの連絡の要否を問い合わせることが可能となる。
【００２２】
また、本発明の他の態様の検体分析装置用管理装置は、医療施設に設置される検体分析装置と通信可能な検体分析装置用管理装置であって、検体分析装置を識別するための識別情報と、前記医療施設における検体分析装置の担当者のアドレスとを対応付けて記憶する記憶部と、通信部と、前記検体分析装置から送信された、前記検体分析装置の異常に関する情報及び前記検体分析装置を識別するための識別情報を前記通信部が受信した場合に、受信された前記識別情報に対応するアドレスへ、前記検体分析装置を保守管理する保守業者からの連絡の要否を前記担当者に問い合わせるための問合せ情報を、前記通信部に送信させる制御部と、を備える。
【００２３】
また、本発明の他の態様のコンピュータプログラムは、医療施設に設置された検体分析装置の担当者によって使用され、通信部と、入力部と、表示部とを備えるコンピュータに、前記検体分析装置に発生した異常に関して前記検体分析装置を保守管理する保守業者からの連絡の要否を前記担当者に問い合わせるための問合せ情報を前記通信部が受信した場合に、前記検体分析装置に発生した異常の種類、前記保守業者からの連絡を要求するための選択可能な要求部、及び前記管理者からの連絡が不要であることを通知するための選択可能な通知部を含む問合せ画面を前記表示部に表示させるステップと、入力部により前記要求部を選択する入力を受け付けた場合に、前記保守業者からの連絡を要求する要求情報を、前記保守業者が保有する管理装置へ前記通信部に送信させるステップと、入力部により前記通知部を選択する入力を受け付けた場合に、前記保守業者からの連絡が不要であることを通知するための通知情報を、前記保守業者が保有する管理装置へ前記通信部に送信させるステップと、を実行させる。
【発明の効果】
【００２４】
本発明に係る検体分析装置管理システム、検体分析装置用管理装置、及びコンピュータプログラムによれば、検体分析装置の担当者の業務及び技能に応じて、検体分析装置を効率的且つ適切に保守することが可能となる。
【図面の簡単な説明】
【００２５】
【図１】実施の形態１に係る検体分析装置管理システムの構成を示す模式図。
【図２】検体分析装置の構成を示すブロック図。
【図３】情報処理ユニットの構成を示すブロック図。
【図４】管理サーバの構成を示すブロック図。
【図５】担当者連絡先データベースの構成を示す模式図。
【図６】携帯情報端末の構成を示すブロック図。
【図７】担当者連絡先登録処理の手順を示すフローチャート。
【図８】エラー発生処理の手順を示すフローチャート。
【図９】精度管理動作の手順を示すフローチャート。
【図１０Ａ】実施の形態１に係る連絡要否問合せ処理の手順を示すフローチャート（前半）。
【図１０Ｂ】実施の形態１に係る連絡要否問合せ処理の手順を示すフローチャート（後半）。
【図１１】問合せ回答処理の手順を示すフローチャート。
【図１２】連絡要否問合せ画面の一例を示す図。
【図１３】第１確認画面の一例を示す図。
【図１４】時刻指定画面の一例を示す図。
【図１５】第２確認画面の一例を示す図。
【図１６】実施の形態２に係る検体分析装置管理システムの構成を示す模式図。
【図１７】実施の形態２に係る連絡要否問合せ処理の手順を示すフローチャート。
【発明を実施するための形態】
【００２６】
以下、本発明の好ましい実施の形態を、図面を参照しながら説明する。
【００２７】
（実施の形態１）
[検体分析装置管理システムの構成］
図１は、本実施の形態に係る検体分析装置管理システムの構成を示す模式図である。検体分析装置管理システム１００は、検体分析装置１１，１２，１３と、検体分析装置２１，２２と、管理サーバ３１と、管理クライアント３２，３２，…と、携帯情報端末４１，４２とによって主として構成される。
【００２８】
検体分析装置１１，１２，１３は、病院、医院、検査センター等の医療施設１０に設置されている。各検体分析装置１１，１２，１３，…は、院内ＬＡＮ等を介してインターネット５に接続されている。また、検体分析装置１１，１２，１３は、被験者から採取された血液検体中の血球を検出、分類し、種類毎に血球を計数する血球分析装置であり、検体分析装置製造業者であるＡ社によって製造販売されている。
【００２９】
検体分析装置２１，２２は、医療施設１０とは異なる医療施設２０に設置されている。各検体分析装置２１，２２は、院内ＬＡＮ等を介してインターネット５に接続されている。検体分析装置２１，２２は、検体分析装置１１，１２，１３と同じくＡ社製の血球分析装置である。
【００３０】
管理サーバ３１は、Ａ社製の血球分析装置の保守業者が保有するサーバであり、保守業者の施設に設置されている。かかる管理サーバ３１は、社内ＬＡＮ等を介してインターネット５に接続されており、検体分析装置１１，１２，１３及び２１，２２とデータ通信が可能である。
【００３１】
管理クライアント３２は、管理サーバ３１のクライアントであり、保守業者のオペレータ又はサービスマンによって使用される。かかる管理クライアント３２は、保守業者の社内ＬＡＮに接続されており、管理サーバ３１との間でデータ通信が可能である。
【００３２】
携帯情報端末４１は、検体分析装置１１，１２，１３を操作して検体の分析を行う医療施設１０の検査技師、医師等によって使用される。また、携帯情報端末４２は、検体分析装置２１，２２を操作して検体の分析を行う医療施設２０の検査技師、医師等によって使用される。かかる携帯情報端末４１，４２は、無線通信によって携帯電話網（図示せず）と通信を行うことが可能である。また、携帯電話網とインターネット５とは相互接続されている。これにより、携帯情報端末４１，４２は、管理サーバ３１との間でデータ通信が可能である。
【００３３】
＜検体分析装置１１，１２，１３，２１，２２の構成＞
図２は、検体分析装置１１の構成を示すブロック図である。検体分析装置１１は、光学式フローサイトメトリー方式の多項目血球分析装置である。かかる検体分析装置１１は、血液検体に含まれる血球に光を照射することで得られる側方散乱光強度、蛍光強度等を取得し、これらに基づいて検体中に含まれる血球を分類し、且つ、種類毎に血球数を計数する。また、検体分析装置１１は、このように分類された血球が種類毎に色分けされたスキャッタグラムを作成し、これを表示する。かかる検体分析装置１１は、血液検体を測定する測定ユニット１１ａと、測定ユニット１１ａから出力された測定データを処理し、血液検体の分析結果を表示する情報処理ユニット１１ｂとを備えている。
【００３４】
図２に示すように、測定ユニット１１ａは、検体分注部１１１と、測定試料調製部１１２と、光学検出部１１３と、信号処理回路１１４と、制御部１１５と、バーコードリーダ１１６とを備えている。
【００３５】
検体分注部１１１は、吸引管（図示せず）を備えており、この吸引管を検体搬送装置により搬送された検体ラックの検体容器の蓋部に突き刺して、この検体容器から血液検体を吸引する。また、検体分注部１１１には、センサ部１１１ｓが設けられており、このセンサ部１１１ｓによって、吸引管の吸引エラーを検出することが可能である。
【００３６】
測定試料調製部１１２は、混合容器（図示せず）を備えており、検体分注部１１１により分注された血液検体、試薬及び希釈液を混合撹拌し、測定試料を調製する。また、測定試料調製部１１２には、センサ部１１２ｓが設けられており、このセンサ部１１２ｓによって、試薬切れを検出することが可能である。
【００３７】
光学検出部１１３は、フローセル（図示せず）を備え、このフローセルに測定試料を供給することにより測定試料の細い流れを形成し、その測定試料に対して光源から光を照射して、光学センサにより側方散乱光信号、前方散乱光信号、及び蛍光信号を取得する。これらの信号は、信号処理回路１１４へ出力される。また、光学検出部１１３には、センサ部１１３ｓが設けられており、このセンサ部１１３ｓによって、光源であるライトの光量異常を検出することが可能である。
【００３８】
信号処理回路１１４は、光学検出部１１３から出力される電気信号を処理する回路である。かかる信号処理回路１１４は、側方散乱光信号、前方散乱光信号、蛍光信号のピーク及びパルス幅等のパラメータを取得する。
【００３９】
制御部１１５は、ＣＰＵ及びメモリを備えている。かかる制御部１１５は、情報処理ユニット１１ｂから与えられた分析項目にしたがって、検体分注部１１１、測定試料調製部１１２、光学検出部１１３、及び信号処理回路１１４を制御し、上記分析項目に対応する測定動作を実行させる。また、信号処理回路１１４によって得られた上記パラメータを含む測定データを情報処理ユニット１１ｂへ送信するように構成されている。また、制御部１１５は、センサ部１１１ｓ，１１２ｓ，１１３ｓに接続されており、これらのセンサ部１１１ｓ，１１２ｓ，１１３ｓの出力信号を受信することが可能である。
【００４０】
バーコードリーダ１１６は、検体容器に貼布されたバーコードラベルのバーコードを読み取るために用いられる。検体容器のバーコードラベルには、検体ＩＤを示すバーコードが印刷されており、バーコードリーダ１１６は、かかるバーコードを読み取ることで検体ＩＤを取得する。また、バーコードリーダは制御部１１５に接続されており、読み取った検体ＩＤを制御部１１６へ送信するようになっている。
【００４１】
次に、情報処理ユニット１１ｂの構成について説明する。情報処理ユニット１１ｂは、コンピュータにより構成されている。図３は、情報処理ユニット１１ｂの構成を示すブロック図である。情報処理ユニット１１ｂは、コンピュータ７によって実現される。図３に示すように、コンピュータ７は、本体７１と、表示部７２と、入力部７３とを備えている。本体７１は、ＣＰＵ７１ａ、ＲＯＭ７１ｂ、ＲＡＭ７１ｃ、ハードディスク７１ｄ、読出装置７１ｅ、入出力インタフェース７１ｆ、通信インタフェース７１ｇ、及び画像出力インタフェース７１ｈを備えている。ＣＰＵ７１ａ、ＲＯＭ７１ｂ、ＲＡＭ７１ｃ、ハードディスク７１ｄ、読出装置７１ｅ、入出力インタフェース７１ｆ、通信インタフェース７１ｇ、及び画像出力インタフェース７１ｈは、バス７１ｊによって接続されている。
【００４２】
読出装置７１ｅは、コンピュータを情報処理ユニット１１ｂとして機能させるためのコンピュータプログラム７４ａを可搬型記録媒体７４から読み出し、当該コンピュータプログラム７４ａをハードディスク７１ｄにインストールすることが可能である。
【００４３】
ハードディスク７１ｄには、コンピュータを情報処理ユニット１１ｂとして機能させるためのコンピュータプログラム７４ａがインストールされている。かかるコンピュータプログラム７４ａをＣＰＵ７１ａが実行することにより、コンピュータ７は、情報処理ユニット１１ｂとして機能する。
【００４４】
検体分析装置１２，１３，２１，２２の構成も、検体分析装置１１の構成と同様であるので、その説明を省略する。
【００４５】
＜管理サーバ３１の構成＞
次に、管理サーバ３１の構成について説明する。図４は、本実施の形態に係る管理サーバ３１の構成を示すブロック図である。管理サーバ３１は、コンピュータ８によって実現される。図４に示すように、コンピュータ８は、ＣＰＵ８１ａ、ＲＯＭ８１ｂ、ＲＡＭ８１ｃ、ハードディスク８１ｄ、及び通信インタフェース８１ｇを備えている。ＣＰＵ８１ａ、ＲＯＭ８１ｂ、ＲＡＭ８１ｃ、ハードディスク８１ｄ、及び通信インタフェース８１ｇは、バス８１ｊによって接続されている。
【００４６】
ハードディスク８１ｄには、コンピュータを管理サーバ３１として機能させるためのコンピュータプログラム８４ａがインストールされている。かかるコンピュータプログラム８４ａをＣＰＵ８１ａが実行することにより、コンピュータ８は、管理サーバ３１として機能する。
【００４７】
また、ハードディスク８１ｄには、担当者連絡先データベース８５が設けられている。図５は、担当者連絡先データベース８５の構成を示す模式図である。担当者連絡先データベース８５には、検体分析装置を識別するための装置ＩＤと、検体分析装置の担当者が所属する医療施設を識別するための施設コードと、担当者の所属部署を識別するための施設部署コードと、検体分析装置の製造業者を識別するための製造業者コードと、担当者が主担当者であるか副担当者であるかを示す担当者種別コードと、担当者の連絡先であるアドレスとが互いに対応付けられて登録される。なお、ここでいうアドレスとは、担当者が保有する携帯情報端末にデータ通信するためのアドレスであり、具体的には、携帯情報端末のＩＰアドレスである。
【００４８】
＜管理クライアント３２の構成＞
管理クライアント３２は、コンピュータによって実現される。管理クライアント３２は、ＣＰＵ、ＲＯＭ、ＲＡＭ、ハードディスク、入出力インタフェース、通信インタフェース、画像出力インタフェース、入力部、及び表示部等を備えている。
【００４９】
＜携帯情報端末４１，４２の構成＞
次に、携帯情報端末４１，４２の構成について説明する。図６は、携帯情報端末４１の構成を示すブロック図である。携帯情報端末４１は、スマートフォン等の多機能携帯電話機９によって実現される。図６に示すように、多機能携帯電話機９は、ＣＰＵ９１ａ、ＲＯＭ９１ｂ、ＲＡＭ（主記憶装置）９１ｃ、フラッシュメモリからなる補助記憶装置９１ｄ、入出力インタフェース９１ｆ、通信インタフェース９１ｇ、及び画像出力インタフェース９１ｈと、表示部９２、入力部９３、及びカメラ９４とを備えている。ＣＰＵ９１ａ、ＲＯＭ９１ｂ、ＲＡＭ９１ｃ、補助記憶装置９１ｄ、入出力インタフェース９１ｆ、通信インタフェース９１ｇ、及び画像出力インタフェース９１ｈは、バス９１ｊによって接続されている。
【００５０】
表示部９２は液晶パネルによって構成されており、入力部９３はタッチパッドによって構成されている。表示部９２の上に入力部９３が重ねられており、表示部９２と入力部９３とでタッチパネルが構成されている。表示部９２は、画像出力インタフェース９１ｈに接続されており、入力部９３は入出力インタフェース９１ｆに接続されている。
【００５１】
カメラ９４は、入出力インタフェース９１ｆに接続されている。
【００５２】
補助記憶装置９１ｄには、多機能携帯電話機９を携帯情報端末４１として機能させるためのコンピュータプログラム９４ａがインストールされている。かかるコンピュータプログラム９４ａをＣＰＵ９１ａが実行することにより、多機能携帯電話機９は、本実施の形態に係る携帯情報端末４１として機能する。
【００５３】
通信インタフェース９１ｇは、携帯電話用の無線通信部であり、固有のＩＰアドレスが割り当てられている。
【００５４】
[検体分析装置管理システムの動作］
次に、本実施の形態に係る検体分析装置管理システム１００の動作について説明する。
【００５５】
＜担当者連絡先登録処理＞
各医療施設において、検体分析装置の担当者が決められ、この担当者の連絡先（担当者が保有する携帯情報端末のアドレス）が管理サーバ３１に登録される。以下、この担当者連絡先登録処理について説明する。
【００５６】
図７は、担当者連絡先登録処理の手順を示すフローチャートである。
【００５７】
各医療施設１０，２０において、検体分析装置１１，１２，１３，２１，２２の筐体又はその付近には、担当者の連絡先の登録に使用されるＱＲコード（登録商標）等の２次元バーコードが印刷されたラベルＬ１，Ｌ２が付されている。ラベルＬ１は、検体分析装置の主担当者の連絡先の登録に使用される２次元バーコードであり、同じくラベルＬ１２は、検体分析装置の副担当者の連絡先の登録に使用される２次元バーコードである。かかるラベルＬ１，Ｌ２には、施設コード、施設部署コード、製造業者コード、装置ＩＤ、担当者種別コードの各情報が含まれている。例えば、検体分析装置１１の主担当者の連絡先登録用のラベルＬ１の２次元バーコードには、検体分析装置１１が設置されている医療施設１０を識別するための施設コード、担当者の所属部署（例えば、臨床検査室）を識別するための施設部署コード、検体分析装置１１の製造業者を識別するための製造業者コード、検体分析装置１１を識別するための装置ＩＤ、主担当者を示す担当者種別コードが含まれる。また、検体分析装置２１の副担当者の連絡先登録用のラベルＬ２の２次元バーコードには、検体分析装置２１が設置されている医療施設２０を識別するための施設コード、担当者の所属部署（例えば、血液検査室）を識別するための施設部署コード、検体分析装置２１の製造業者を識別するための製造業者コード、検体分析装置２１を識別するための装置ＩＤ、副担当者を示す担当者種別コードが含まれる。
【００５８】
上記のラベルＬ１，Ｌ２に印刷された２次元バーコードは、携帯情報端末４１，４２によって読み取ることが可能である。具体的には、携帯情報端末４１，４２のカメラ９４によって２次元バーコードが撮像されると、ＣＰＵ９１ａによって解析処理が行われ、２次元バーコードに含まれる情報に変換される。
【００５９】
各医療施設１０，２０では、例えば毎朝、検体分析装置１１，１２，１３，２１，２２の主担当者、副担当者を決める。主担当者及び副担当者は、自分の携帯情報端末４１，４２のカメラ９４によって、２次元バーコードを撮像する（ステップＳ１０１）。このとき、主担当者は主担当者用の２次元バーコードを撮像し、副担当者は副担当者用の２次元バーコードを撮像する。
【００６０】
２次元バーコードが撮像されると、その画像から施設コード、施設部署コード、製造業者コード、装置ＩＤ、及び担当者種別コードが取得される（ステップＳ１０２）。ＣＰＵ９１ａは、取得した施設コード、施設部署コード、製造業者コード、装置ＩＤ、及び担当者種別コード、並びに当該携帯情報端末４１，４２のアドレスを含む登録要求情報を管理サーバ３１へ送信し（ステップＳ１０３）、処理を終了する。
【００６１】
管理サーバ３１が登録要求情報を受信すると（ステップＳ１０４）、管理サーバ３のＣＰＵ８１ａは、装置ＩＤ、施設コード、施設部署コード、製造業者コード、担当者種別コード、及び担当者の携帯情報端末のアドレスを、担当者連絡先データベース８５に登録し（ステップＳ１０５）、処理を終了する。
【００６２】
＜検体分析装置１１の動作＞
まず、検体分析装置１１の動作について説明する。被験者から血液検体が採取されると、この血液検体が検体容器に収容される。検体容器には、収容する検体を識別するための検体ＩＤを示すバーコードが印刷されたバーコードラベルが貼布される。かかる検体容器が検体ラックに保持されて、検体分析装置１１に搬送される。検体分析装置１１は、このようにして供給された血液検体を分析する。より詳細には、バーコードリーダ１１６によって検体容器のバーコードから検体ＩＤが読み取られ、この検体ＩＤが制御部１１５に与えられる。検体容器に収容された検体は検体分注部１１１によって吸引され、吸引された血液検体と試薬と希釈液とが測定試料調製部１１２によって混合撹拌され、測定試料が調製される。光学検出部１１３のフローセルに測定試料が供給されて、光学センサにより側方散乱光信号、前方散乱光信号、及び蛍光信号が得られ、信号処理回路１１４によってこれらの信号が処理されて、側方散乱光信号、前方散乱光信号、蛍光信号のピーク及びパルス幅等のパラメータを含む測定データが生成される。かかる測定データは、情報処理ユニット１１ｂに与えられ、解析される。これにより、検体中に含まれる血球の分類及び種類毎の血球数を含む分析結果が得られる。
【００６３】
検体分析装置１１は、かかる検体分析動作を実行していると、バーコード読取エラー、検体の吸引エラー、試薬切れエラー、光学検出部１１３の光量エラー等のエラーを生じる場合がある。例えば、バーコード読取エラーはバーコードリーダ１１６によって検出され、検体吸引エラーはセンサ部１１１ｓによって検出され、試薬切れエラーはセンサ部１１２ｓによって検出され、光量エラーはセンサ部１１３ｓによって検出される。エラーが発生したとき、バーコードリーダ１１６、センサ部１１１ｓ、１１２ｓ、１１３ｓ等からの出力信号（エラー検知信号）は、情報処理ユニット１１ｂに与えられる。
【００６４】
上記のようなエラーが検出されると、情報処理ユニット１１ｂによってエラー発生処理が実行される。図８は、検体分析装置１１のエラー発生処理の手順を示すフローチャートである。
【００６５】
エラー発生処理では、まず、ＣＰＵ７１ａが、エラー検知信号を受信したか否かを判別する（ステップＳ１１１）。エラー検知信号を受信していない場合には（ステップＳ１１１においてＮＯ）、ＣＰＵ７１ａは、ステップＳ１１１に処理を戻し、エラー検知信号を受信するまでステップＳ１１１の処理を繰り返す。
【００６６】
ＣＰＵ７１ａによってエラー検知信号が受信されると（ステップＳ１１１においてＹＥＳ）、ＣＰＵ７１ａは、発生したエラーの種類を示すエラーコード、検体分析装置１１の装置ＩＤ及び製造業者コードを含むエラー情報を、管理サーバ３１へ送信し（ステップＳ１１２）、処理をステップＳ１１１へ戻す。
【００６７】
検体分析装置１１，１２，１３，２１，２２においては、精度管理試料を測定し、当該精度管理試料の分析結果が正常範囲内であるか否かを調べることで、検体分析装置１１，１２，１３，２１，２２が正しい分析結果を得ることが可能であるか否かを評価する精度管理が定期的に（例えば、毎日定時に）実施される。かかる精度管理には、医療施設毎に実施する内部精度管理と、複数施設において共通の条件のもとで実施される外部精度管理とがある。
【００６８】
図９は、検体分析装置１１の精度管理動作の手順を示すフローチャートである。精度管理を実施する場合には、精度管理試料を収容した検体容器が検体ラックに保持されて、検体分析装置１１に搬送される。検体分析装置１１は、このようにして供給された精度管理試料を分析する（ステップＳ１２１）。かかる精度管理試料の分析は、上述した血液検体の分析と同様にして行われる。
【００６９】
次にＣＰＵ７１ａは、精度管理試料の分析結果と内部精度管理の正常範囲とを比較して、精度管理試料の分析結果が内部精度管理の正常範囲内であるか否かを判別する（ステップＳ１２２）。精度管理試料の分析結果が内部精度管理の正常範囲から外れる場合には（ステップＳ１２２においてＮＯ）、ＣＰＵ７１ａは、内部精度管理エラー情報を生成し（ステップＳ１２３）、ステップＳ１２４へ処理を移す。
【００７０】
他方、ステップＳ１２２において精度管理試料の分析結果が内部精度管理の正常範囲内である場合には（ステップＳ１２２においてＹＥＳ）、ＣＰＵ７１ａは、ステップＳ１２４へそのまま処理を移す。
【００７１】
ステップＳ１２４において、ＣＰＵ７１ａは、精度管理試料の分析結果及び検体分析装置１１の装置ＩＤを含む精度管理情報を管理サーバ３１へ送信する（ステップＳ１２４）。ここで、ステップＳ１２３において内部精度管理エラー情報が生成された場合には、精度管理情報に内部精度管理エラー情報が含まれる。精度管理情報を送信すると、ＣＰＵ７１ａは、処理を終了する。
【００７２】
＜連絡要否問合せ処理＞
管理サーバ３１が、上述のようにして検体分析装置１１，１２，１３，２１，２２から送信されたエラー情報及び精度管理情報（以下、「異常関連情報」という。）を受信すると、管理サーバ３１によって、連絡要否問合せ処理が実行される。図１０Ａ及び図１０Ｂは、連絡要否問合せ処理の手順を示すフローチャートである。
【００７３】
管理サーバ３１のＣＰＵ８１ａは、異常関連情報を受信すると（ステップＳ２０１）、担当者に連絡の要否を問合せる必要がある異常（以下、「特定異常」という。）が検体分析装置に発生しているか否かを判別する（ステップＳ２０２）。
【００７４】
ステップＳ２０２の処理について詳しく説明する。異常関連情報がエラー情報である場合、ＣＰＵ８１ａは、エラー情報に含まれるエラーコードを、予め定められた特定異常のエラーコードと照合し、特定異常のエラーコードに一致するものがあるか否かを判別する。これにより、特定異常が発生しているか否かが判断される。なお、特定異常のエラーコードは、ハードディスク８１ｄに予め記憶されている。例えば、吸引管の吸引エラー、光源であるライトの光量異常は、特定異常に該当すると判断される。また、例えば、バーコード読み取り異常のような軽微なエラーであっても、連続して所定回数以上発生しているような場合には、特定異常に該当すると判断される。
【００７５】
また、異常関連情報が精度管理情報の場合は、精度管理情報に内部精度管理エラー情報が含まれていれば、内部精度管理エラーに基づいて、特定異常に該当するか、特定異常に該当しないかが判断される。例えば、精度管理試料の分析結果が、内部精度管理の正常範囲を所定値を超えて外れているような場合には、特定異常に該当すると判断され、精度管理試料の分析結果が、内部精度管理の正常範囲を外れているものの、前記所定値を超えていないような場合には、軽微な内部精度管理エラーであり、特定異常に該当しないと判断される。また、上記のような軽微な内部精度管理エラーであっても、連続して所定回数以上発生しているような場合には、特定異常に該当すると判断される。
【００７６】
また、ＣＰＵ８１ａは、精度管理試料の分析結果と、統計的に得られた外部精度管理の正常範囲とを比較して、特定異常に該当するか、特定異常に該当しないかを判断する。例えば、精度管理試料の分析結果が、外部精度管理の正常範囲を所定値を超えて外れているような場合には、特定異常に該当すると判断され、精度管理試料の分析結果が、外部精度管理の正常範囲を外れているものの、前記所定値を超えていないような場合には、軽微な外部精度管理エラーであり、特定異常に該当しないと判断される。また、上記のような軽微な外部精度管理エラーであっても、連続して所定回数以上発生しているような場合には、特定異常に該当すると判断される。
【００７７】
ステップＳ２０２において、検体分析装置に特定異常が発生していない場合には（ステップＳ２０２においてＮＯ）、ＣＰＵ８１ａは処理を終了する。
【００７８】
他方、ステップＳ２０２において、検体分析装置に特定異常が発生している場合には（ステップＳ２０２においてＹＥＳ）、ＣＰＵ８１ａは、異常関連情報に含まれる装置ＩＤを、担当者連絡先データベース８５と照合し、この装置ＩＤに対応する主担当者のアドレスを取得する（ステップＳ２０３）。さらにＣＰＵ８１ａは、当該アドレスに対して、検体分析装置１１に発生している特定異常を示す情報を含む連絡要否問合せ情報を送信する（ステップＳ２０４）。
【００７９】
携帯情報端末４１，４２は、連絡要否問合せ情報が受信されると、問合せ回答処理を実行する。図１１は、問合せ回答処理の手順を示すフローチャートである。
【００８０】
検体分析装置１１の主担当者の携帯情報端末４１のＣＰＵ９１ａは、連絡要否問合せ情報を受信すると（ステップＳ３０１）、連絡要否問合せ画面を表示部９２に表示させる（ステップＳ３０２）。
【００８１】
図１２は、連絡要否問合せ画面の一例を示す図である。ＣＰＵ９１ａは、連絡要否問合せ情報に含まれる特定異常を示す情報を使用して、連絡要否問合せ画面Ｄ１を生成する。図に示すように、連絡要否問合せ画面Ｄ１には、検体分析装置１１の情報（名称）、検体分析装置１１で発生している特定異常の内容、及び特定異常の発生日時等を示すメッセージＭ１が含まれる。
【００８２】
また、連絡要否問合せ画面Ｄ１には、選択可能な２つのボタンＣ１１及びＣ１２が設けられている。ボタンＣ１１は、連絡が不要であることを保守業者に通知するために使用されるボタンであり、ボタンＣ１１には「了解」の文字が表示される。また、ボタンＣ１２は、連絡を要することを保守業者に通知するために使用されるボタンであり、ボタンＣ１２には「Ｃａｌｌ要求」の文字が表示される。担当者は、入力部９３のボタンＣ１１又はＣ１２の表示位置を触れる（タップする）ことにより、ボタンＣ１１又はＣ１２を選択する入力を行うことができる。
【００８３】
また、ボタンＣ１２については、担当者は、入力部９３のボタンＣ１２の表示位置を所定時間（例えば１秒）未満触れる（以下、「タップ」という。）ことだけでなく、入力部９３のボタンＣ１２の表示位置を所定時間（例えば１秒）以上触れ続ける（以下、「ロングタップ」という。）ことも可能である。ボタンＣ１２のタップ操作は、保守業者に即座に連絡をして欲しいこと（以下、「即時連絡要求」という。）を示しており、ボタンＣ１２のロングタップ操作は、保守業者に連絡をして欲しい時刻を指定すること（以下、「時刻指定連絡要求」という。）を示している。
【００８４】
かかる連絡要否問合せ画面Ｄ１が表示された状態で、ＣＰＵ９１ａは、担当者から入力を受け付けたか否かを判断する（ステップＳ３０３）。ボタンＣ１１を選択する入力を受け付けた場合には（ステップＳ３０３において「連絡不要」）、ＣＰＵ９１ａは、連絡不要であることを示す第１回答情報を管理サーバ３１に送信し（ステップＳ３０４）、表示部９２の連絡要否問合せ画面Ｄ１を非表示にして、問合せ回答処理を終了する。
【００８５】
他方、ステップＳ３０３において、ボタンＣ１２を選択する入力を受け付けた場合には（ステップＳ３０３において「連絡要求」）、ＣＰＵ９１ａは、その入力が即時連絡要求であったか、時刻指定連絡要求であったかを判別する（ステップＳ３０５）。即ち、ＣＰＵ９１ａは、ステップＳ３０５において、タップ操作が行われたか、ロングタップ操作が行われたかを判別する。即時連絡要求である、即ち、タップ操作が行われた場合には（ステップＳ３０５において「即時連絡要求」、ＣＰＵ９１ａは、即時連絡要求を示す第２回答情報を管理サーバ３１に送信し（ステップＳ３０６）、表示部９２の表示を、連絡要否問合せ画面Ｄ１から第１確認画面に遷移させる（ステップＳ３０７）。
【００８６】
図１３は、第１確認画面の一例を示す図である。図に示すように、第１確認画面Ｄ２には、連絡要否問合せ画面Ｄ１に含まれていたメッセージＭ１がそのまま表示される。また、第１確認画面Ｄ２には、即時連絡要求を受け付けた時刻Ｔ２と、管理サーバ３１に第２回答情報を送信したことを確認するためのボタンＣ２とが表示される。ボタンＣ２は、タップによって選択可能であり、担当者は、第１確認画面Ｄ２の表示内容を確認した上で、ボタンＣ２をタップする。ボタンＣ２がタップされると、第１確認画面Ｄ２は非表示となり、問合せ回答処理が終了する。
【００８７】
ステップＳ３０５において、時刻指定連絡要求である、即ち、ロングタップ操作が行われた場合には（ステップＳ３０５において「時刻指定連絡要求」、ＣＰＵ９１ａは、表示部９２の表示を、連絡要否問合せ画面Ｄ１から時刻指定画面に遷移させる（ステップＳ３０８）。
【００８８】
図１４は、時刻指定画面の一例を示す図である。図に示すように、時刻指定画面Ｄ３には、連絡要否問合せ画面Ｄ１に含まれていたメッセージＭ１がそのまま表示される。また、時刻指定画面Ｄ３には、連絡時刻を選択するための選択部Ｃ３１と、選択部Ｃ３１によって選択された時刻を指定して保守業者に連絡を要求する要求ボタンＣ３２とが設けられている。選択部Ｃ３１は、時と分とをそれぞれ選択する２つのドロップダウンリストコントロールを有しており、タップすることでドロップダウンリストを表示し、時刻を選択することが可能である。担当者は、選択部Ｃ３１で時刻を選択した上で、要求ボタンＣ３２を選択する操作を行うことにより、指定時刻の連絡を保守業者に要求することができる。
【００８９】
ＣＰＵ９１ａは、上記のような時刻指定を担当者から受け付け（ステップＳ３０９）、受け付けた指定時刻を含む時刻指定連絡要求を示す第３回答情報を管理サーバ３１に送信し（ステップＳ３１０）、表示部９２の表示を、時刻指定画面Ｄ３から第２確認画面に遷移させる（ステップＳ３１１）。
【００９０】
図１５は、第２確認画面の一例を示す図である。図に示すように、第２確認画面Ｄ４には、連絡要否問合せ画面Ｄ１に含まれていたメッセージＭ１がそのまま表示される。また、第２確認画面Ｄ４には、時刻指定を受け付けた時刻Ｔ４と、管理サーバ３１に第３回答情報を送信したことを確認するためのボタンＣ４とが表示される。ボタンＣ４は、タップによって選択可能であり、担当者は、第２確認画面Ｄ４の表示内容を確認した上で、ボタンＣ４をタップする。ボタンＣ４がタップされると、第２確認画面Ｄ４は非表示となり、問合せ回答処理が終了する。
【００９１】
以上のような問合せ回答処理により、担当者は、連絡の必要がないことを保守業者に通知したり、即座に連絡して欲しいことを保守業者に要求したり、指定時刻に連絡して欲しいことを保守業者に連絡したりすることができる。
【００９２】
再度図１０を参照して、連絡要否問合せ処理についての説明に戻る。管理サーバ３１のＣＰＵ８１ａは、連絡要否問合せ情報を送信してから所定時間（例えば、１０分）以内に、主担当者の携帯情報端末４１から回答情報（第１回答情報、第２回答情報、又は第３回答情報）を受信したか否かを判別する（ステップＳ２０５）。連絡要否問合せ情報を送信してから所定時間以内に回答情報を受信した場合には（ステップＳ２０５においてＹＥＳ）、ＣＰＵ８１ａは、受信した回答情報が第１回答情報、第２回答情報、及び第３回答情報の何れであるかを判別する（ステップＳ２０６）。
【００９３】
ステップＳ２０６において、受信した回答情報が第１回答情報である場合には（ステップＳ２０６において「第１回答情報」）、ＣＰＵ８１ａは、管理クライアント３２に、主担当者に対する連絡が不要であることを示す第１回答表示データを送信し（ステップＳ２０７）、連絡要否問合せ処理を終了する。この第１回答表示データには、担当者が所属する医療施設１０の施設コード、担当者の所属部署の施設部署コード、検体分析装置１１の製造業者コード、検体分析装置１１の装置ＩＤ、及び検体分析装置１１に発生している特定異常の内容が含まれている。
【００９４】
管理クライアント３２は、第１回答表示データを受信すると、担当者に対する連絡が不要であることを示す情報を含む画面を表示する。この画面には、担当者が所属する医療施設１０の施設コード、担当者の所属部署の施設部署コード、検体分析装置１１の製造業者コード、検体分析装置１１の装置ＩＤ、及び検体分析装置１１に発生している特定異常の内容が含まれている。この画面により、保守業者のオペレータ又はサービスマンに対して、担当者に連絡する必要がないことを通知することが可能となる。
【００９５】
また、ステップＳ２０６において、受信した回答情報が第２回答情報である場合には（ステップＳ２０６において「第２回答情報」）、ＣＰＵ８１ａは、管理クライアント３２に、主担当者に対して即座に連絡する必要があることを示す第２回答表示データを送信し（ステップＳ２０８）、連絡要否問合せ処理を終了する。この第２回答表示データには、担当者が所属する医療施設１０の施設コード、担当者の所属部署の施設部署コード、検体分析装置１１の製造業者コード、検体分析装置１１の装置ＩＤ、検体分析装置１１に発生している特定異常の内容、及び担当者の携帯情報端末４１の電話番号が含まれている。
【００９６】
管理クライアント３２は、第２回答表示データを受信すると、担当者に対して即座に連絡する必要があることを示す情報を含む画面を表示する。この画面には、担当者が所属する医療施設１０の施設コード、担当者の所属部署の施設部署コード、検体分析装置１１の製造業者コード、検体分析装置１１の装置ＩＤ、検体分析装置１１に発生している特定異常の内容、及び担当者の携帯情報端末４１の電話番号が含まれている。保守業者のオペレータ又はサービスマンは、この画面を参照することにより、担当者に対して即座に連絡する必要があることを知ることができる。サービスマンによって上記画面が確認された場合には、サービスマンは、担当者に対して即座に連絡をする。また、オペレータによって上記画面が確認された場合には、オペレータはサービスマンに電話等によって連絡し、担当者に対して即座に連絡すべきことを伝える。
【００９７】
また、ステップＳ２０６において、受信した回答情報が第３回答情報である場合には（ステップＳ２０６において「第３回答情報」）、ＣＰＵ８１ａは、管理クライアント３２に、主担当者に対して指定時刻に連絡する必要があることを示す第３回答表示データを送信し（ステップＳ２０９）、連絡要否問合せ処理を終了する。この第３回答表示データには、担当者から指定された時刻、担当者が所属する医療施設１０の施設コード、担当者の所属部署の施設部署コード、検体分析装置１１の製造業者コード、検体分析装置１１の装置ＩＤ、検体分析装置１１に発生している特定異常の内容、及び担当者の携帯情報端末４１の電話番号が含まれている。
【００９８】
管理クライアント３２は、第３回答表示データを受信すると、担当者に対して指定時刻に連絡する必要があることを示す情報を含む画面を表示する。この画面には、担当者から指定された時刻、担当者が所属する医療施設１０の施設コード、担当者の所属部署の施設部署コード、検体分析装置１１の製造業者コード、検体分析装置１１の装置ＩＤ、検体分析装置１１に発生している特定異常の内容、及び担当者の携帯情報端末４１の電話番号が含まれている。保守業者のオペレータ又はサービスマンは、この画面を参照することにより、担当者に対して指定時刻に連絡する必要があることを知ることができる。サービスマンによって上記画面が確認された場合には、サービスマンは、担当者に対して指定時刻に連絡をする。また、オペレータによって上記画面が確認された場合には、オペレータはサービスマンに電話等によって連絡し、担当者に対して指定時刻に連絡すべきことを伝える。
【００９９】
例えば、主担当者が業務のために連絡要否問合せに対して回答することができない場合がある。ステップＳ２０５において、連絡要否問合せ情報を送信してから所定時間以内に、主担当者の携帯情報端末４１から回答情報を受信しなかった場合には（ステップＳ２０５においてＮＯ）、ＣＰＵ８１ａは、異常関連情報に含まれる装置ＩＤを、担当者連絡先データベース８５と照合し、上記装置ＩＤに対応する副担当者のアドレスを取得する（ステップＳ２１０）。さらにＣＰＵ８１ａは、主担当者のアドレスに対して、連絡要否問合せ情報を再送信するとともに、副担当者のアドレスに対しても、連絡要否問合せ情報を送信する（ステップＳ２１１）。
【０１００】
主担当者の携帯情報端末４１及び副担当者の携帯情報端末４１は、連絡要否問合せ情報を受信すると、上述した問合せ回答処理を実行する。これにより、主担当者が連絡要否問合せに対して回答できない場合であっても、副担当者が連絡要否問合せに対して回答することが可能となる。
【０１０１】
管理サーバ３１のＣＰＵ８１ａは、連絡要否問合せ情報を送信してから所定時間（例えば、１０分）以内に、担当者（主担当者又は副担当者）の携帯情報端末４１から回答情報（第１回答情報、第２回答情報、又は第３回答情報）を受信したか否かを判別する（ステップＳ２１２）。ステップＳ２１３乃至Ｓ２１６の処理は、上述したステップＳ２０６乃至Ｓ２０９の処理と同様であるので、説明を省略する。
例えば、担当者が携帯情報端末を所持しておらず、連絡要否問合せに対して回答することができない場合も考えられる。このような場合のため、管理サーバ３１は、次のように動作する。ステップＳ２１２において、連絡要否問合せ情報を送信してから所定時間以内に、主担当者及び副担当者の携帯情報端末４１から回答情報を受信しなかった場合には（ステップＳ２１２においてＮＯ）、ＣＰＵ８１ａは、管理クライアント３２に、主担当者に対して即座に連絡する必要があることを示す第２回答表示データを送信し（ステップＳ２１７）、連絡要否問合せ処理を終了する。第２回答表示データを受信した管理クライアント３２は、担当者に対して即座に連絡する必要があることを示す情報を含む画面を表示する。この画面をオペレータ又はサービスマンが確認することにより、サービスマンから主担当者に対して即座に連絡が行われ、担当者が検体分析装置１１の異常に対して適切な措置を取ることができる。
【０１０２】
（実施の形態２）
[検体分析装置管理システムの構成］
図１６は、本実施の形態に係る検体分析装置管理システムの構成を示す模式図である。検体分析装置管理システム２００は、検体分析装置１１，１２，１３と、検体分析装置２１，２２と、検体分析装置１０１，１０２と、管理サーバ３１と、メーカー側管理サーバ１０３，１０３，…と、メーカー側管理クライアント１０４，１０４，…と、携帯情報端末４１，４２とによって主として構成される。なお、本実施の形態においては、各製造業者が自社で製造販売した検体分析装置についての保守業者となる。
【０１０３】
検体分析装置１１，１２，１３及び２１，２２は、Ａ社製の血球分析装置である。他方、検体分析装置１０１，１０２は、Ｂ社製の生化学分析装置であり、医療施設３０に設置されている。
【０１０４】
メーカー側管理サーバ１０３は、検体分析装置の製造業者が保有するサーバであり、製造業者毎に設けられている。具体的には、Ａ社の施設にはＡ社のメーカー側管理サーバ１０３が設置されており、Ｂ社の施設にはＢ社のメーカー側管理サーバ１０３が設置されている。かかるメーカー側管理サーバ１０３は、社内ＬＡＮ等を介してインターネット５に接続されており、管理サーバ３１とデータ通信が可能である。かかるメーカー側管理サーバ１０３は、コンピュータによって実現される。
【０１０５】
メーカー側管理クライアント１０４は、検体分析装置の製造業者が保有するメーカー側管理サーバ１０３のクライアントであり、製造業者毎に設けられている。具体的には、Ａ社の施設にはＡ社のメーカー側管理クライアント１０４が設置されており、Ａ社のメーカー側管理クライアント１０４は、社内ＬＡＮを通じてＡ社のメーカー側管理サーバ１０３とデータ通信が可能である。また、Ｂ社の施設にはＢ社のメーカー側管理クライアント１０４が設置されており、Ｂ社のメーカー側管理クライアント１０４は、社内ＬＡＮを通じてＢ社のメーカー側管理サーバ１０３とデータ通信が可能である。かかるメーカー側管理クライアント１０４は、コンピュータによって実現される。
【０１０６】
本実施の形態に係る検体分析装置管理システム２００のその他の構成は、実施の形態１に係る検体部隻装置管理システム１００の構成と同様であるので、同一構成要素については同一符号を付し、その説明を省略する。
【０１０７】
[検体分析装置管理システムの動作］
次に、本実施の形態に係る検体分析装置管理システム２００の動作について説明する。
【０１０８】
担当者連絡先登録処理及び検体分析装置の動作については、実施の形態１と同様であるので、その説明を省略する。
【０１０９】
＜連絡要否問合せ処理＞
管理サーバ３１が、検体分析装置１１，１２，１３，２１，２２，１０１，１０２から送信された異常関連情報を受信すると、管理サーバ３１によって、連絡要否問合せ処理が実行される。図１７は、連絡要否問合せ処理の手順を示すフローチャートである。
【０１１０】
管理サーバ３１のＣＰＵ８１ａは、異常関連情報を受信すると（ステップＳ５０１）、異常関連情報に含まれる製造業者コードにより、通信対象とすべきメーカー側管理サーバ１０３を決定し、このメーカー側管理サーバ１０３に対し、異常関連情報を転送する（ステップＳ５０２）。即ち、異常関連情報に含まれる製造業者コードがＡ社を示すコードである場合、異常関連情報はＡ社のメーカー側管理サーバ１０３へ転送され、異常関連情報に含まれる製造業者コードがＢ社を示すコードである場合、異常関連情報はＢ社のメーカー側管理サーバ１０３へ転送される。
【０１１１】
異常関連情報を受信したメーカー側管理サーバ１０３は、検体分析装置に発生している異常が特定異常であるか否かを判別し、検体分析装置に発生している異常が特定異常である場合には、連絡要否の問合せを依頼する依頼情報を管理サーバ３１へ送信する。この依頼情報には、特定異常が発生している検体分析装置の装置ＩＤ、及び当該検体分析装置に発生している特定異常の内容が含まれている。
【０１１２】
管理サーバ３１によって依頼情報が受信されると（ステップＳ５０３）、管理サーバ３１のＣＰＵ８１ａは、依頼情報に含まれる装置ＩＤをキーとして担当者連絡先データベース８５を検索し、当該装置ＩＤに対応する主担当者のアドレスを取得する（ステップＳ５０４）。さらにＣＰＵ８１ａは、当該アドレスに対して、検体分析装置に発生している特定異常を示す情報を含む連絡要否問合せ情報を送信する（ステップＳ５０５）。
【０１１３】
携帯情報端末４１，４２は、連絡要否問合せ情報が受信されると、問合せ回答処理を実行する。問合せ回答処理については、実施の形態１と同様であるので、その説明を省略する。
【０１１４】
管理サーバ３１のＣＰＵ８１ａは、連絡要否問合せ情報を送信してから所定時間（例えば、１０分）以内に、主担当者の携帯情報端末から回答情報（第１回答情報、第２回答情報、又は第３回答情報）を受信したか否かを判別する（ステップＳ５０６）。連絡要否問合せ情報を送信してから所定時間以内に回答情報を受信した場合には（ステップＳ５０６においてＹＥＳ）、ＣＰＵ８１ａは、受信した回答情報（第１回答情報、第２回答情報、又は第３回答情報）を、メーカー側管理サーバ１０３へ転送し（ステップＳ５０７）、連絡要否問合せ処理を終了する。
【０１１５】
メーカー側管理サーバ１０３は、受信した回答情報が第１回答情報である場合には、メーカー側管理クライアント１０４に、主担当者に対する連絡が不要であることを示す第１回答表示データを送信する。この第１回答表示データには、担当者が所属する医療施設の施設コード、担当者の所属部署の施設部署コード、検体分析装置の製造業者コード、検体分析装置の装置ＩＤ、及び検体分析装置に発生している特定異常の内容が含まれている。
【０１１６】
メーカー側管理クライアント１０４は、第１回答表示データを受信すると、担当者に対する連絡が不要であることを示す情報を含む画面を表示する。この画面には、担当者が所属する医療施設の施設コード、担当者の所属部署の施設部署コード、検体分析装置の製造業者コード、検体分析装置の装置ＩＤ、及び検体分析装置に発生している特定異常の内容が含まれている。この画面により、保守業者のオペレータ又はサービスマンに対して、担当者に連絡する必要がないことを通知することが可能となる。
【０１１７】
また、メーカー側管理サーバ１０３は、受信した回答情報が第２回答情報である場合には、メーカー側管理クライアント１０４に、主担当者に対して即座に連絡する必要があることを示す第２回答表示データを送信する。この第２回答表示データには、担当者が所属する医療施設の施設コード、担当者の所属部署の施設部署コード、検体分析装置の製造業者コード、検体分析装置の装置ＩＤ、検体分析装置に発生している特定異常の内容、及び担当者の携帯情報端末の電話番号が含まれている。
【０１１８】
メーカー側管理クライアント１０４は、第２回答表示データを受信すると、担当者に対して即座に連絡する必要があることを示す情報を含む画面を表示する。この画面は、担当者が所属する医療施設の施設コード、担当者の所属部署の施設部署コード、検体分析装置の製造業者コード、検体分析装置の装置ＩＤ、検体分析装置に発生している特定異常の内容、及び担当者の携帯情報端末の電話番号が含まれている。保守業者のオペレータ又はサービスマンは、この画面を参照することにより、担当者に対して即座に連絡する必要があることを知ることができる。サービスマンによって上記画面が確認された場合には、サービスマンは、担当者に対して即座に連絡をする。また、オペレータによって上記画面が確認された場合には、オペレータはサービスマンに電話等によって連絡し、担当者に対して即座に連絡すべきことを伝える。
【０１１９】
また、メーカー側管理サーバ１０３は、受信した回答情報が第３回答情報である場合には、メーカー側管理クライアント１０４に、主担当者に対して指定時刻に連絡する必要があることを示す第３回答表示データを送信する。この第３回答表示データには、担当者から指定された時刻、担当者が所属する医療施設の施設コード、担当者の所属部署の施設部署コード、検体分析装置の製造業者コード、検体分析装置の装置ＩＤ、検体分析装置に発生している特定異常の内容、及び担当者の携帯情報端末の電話番号が含まれている。
【０１２０】
メーカー側管理クライアント１０４は、第３回答表示データを受信すると、担当者に対して指定時刻に連絡する必要があることを示す情報を含む画面を表示する。この画面には、担当者から指定された時刻、担当者が所属する医療施設の施設コード、担当者の所属部署の施設部署コード、検体分析装置の製造業者コード、検体分析装置の装置ＩＤ、検体分析装置に発生している特定異常の内容、及び担当者の携帯情報端末の電話番号が含まれている。保守業者のオペレータ又はサービスマンは、この画面を参照することにより、担当者に対して指定時刻に連絡する必要があることを知ることができる。サービスマンによって上記画面が確認された場合には、サービスマンは、担当者に対して指定時刻に連絡をする。また、オペレータによって上記画面が確認された場合には、オペレータはサービスマンに電話等によって連絡し、担当者に対して指定時刻に連絡すべきことを伝える。
【０１２１】
例えば、主担当者が業務のために連絡要否問合せに対して回答することができない場合がある。ステップＳ５０６において、連絡要否問合せ情報を送信してから所定時間以内に、主担当者の携帯情報端末から回答情報を受信しなかった場合には（ステップＳ５０６においてＮＯ）、ＣＰＵ８１ａは、依頼情報に含まれる装置ＩＤを、担当者連絡先データベース８５と照合し、当該装置ＩＤに対応する副担当者のアドレスを取得する（ステップＳ５０８）。さらにＣＰＵ８１ａは、主担当者のアドレスに対して、連絡要否問合せ情報を再送信するとともに、副担当者のアドレスに対しても、連絡要否問合せ情報を送信する（ステップＳ５０９）。
【０１２２】
主担当者の携帯情報端末及び副担当者の携帯情報端末は、連絡要否問合せ情報を受信すると、上述した問合せ回答処理を実行する。これにより、主担当者が連絡要否問合せに対して回答できない場合であっても、副担当者が連絡要否問合せに対して回答することが可能となる。
【０１２３】
管理サーバ３１のＣＰＵ８１ａは、連絡要否問合せ情報を送信してから所定時間（例えば、１０分）以内に、担当者（主担当者又は副担当者）の携帯情報端末から回答情報（第１回答情報、第２回答情報、又は第３回答情報）を受信したか否かを判別する（ステップＳ５１０）。連絡要否問合せ情報を送信してから所定時間以内に回答情報を受信した場合には（ステップＳ５１０においてＹＥＳ）、ＣＰＵ８１ａは、受信した回答情報（第１回答情報、第２回答情報、又は第３回答情報）を、メーカー側管理サーバ１０３へ転送し（ステップＳ５１１）、連絡要否問合せ処理を終了する。
【０１２４】
回答情報が転送された後のメーカー側管理サーバ１０３及びメーカー側管理クライアント１０４の動作は、上述した内容と同様であるので、その説明を省略する。
【０１２５】
例えば、担当者が携帯情報端末を所持しておらず、連絡要否問合せに対して回答することができない場合も考えられる。このような場合のため、管理サーバ３１は、次のように動作する。ステップＳ５１０において、連絡要否問合せ情報を送信してから所定時間以内に、主担当者及び副担当者の携帯情報端末から回答情報を受信しなかった場合には（ステップＳ５１０においてＮＯ）、ＣＰＵ８１ａは、メーカー側管理サーバ１０３に、主担当者に対して即座に連絡する必要があることを示す第２回答情報を送信し（ステップＳ５１２）、連絡要否問合せ処理を終了する。第２回答情報を受信したメーカー側管理サーバ１０３は、上述したように第２回答表示データをメーカー側管理クライアント１０４に送信し、第２回答表示データを受信した管理クライアント１０４は、担当者に対して即座に連絡する必要があることを示す情報を含む画面を表示する。この画面をオペレータ又はサービスマンが確認することにより、サービスマンから主担当者に対して即座に連絡が行われ、担当者が検体分析装置の異常に対して適切な措置を取ることができる。
【０１２６】
以上の如く構成したことにより、本実施の形態に係る検体分析装置管理システムにあっては、複数の製造業者の検体分析装置が混在していても、管理サーバ３１が統括して、担当者への連絡要否の問合せを行い、担当者が連絡を要しない場合、担当者が即座に連絡を要求する場合、及び担当者が時刻を指定して連絡を要求する場合のそれぞれの回答に対して、個別に適切な処理を行うので、検体分析装置の担当者の業務及び技能に応じて、検体分析装置を効率的且つ適切に保守することが可能となる。
【０１２７】
（その他の実施の形態）
上記の実施の形態１及び２においては、担当者の連絡先のアドレスとして携帯情報端末のＩＰアドレスを担当者連絡先データベースに登録し、担当者に連絡要否の問合せを行うときに、当該アドレスへ連絡要否問合せ情報を送信する構成について述べたが、これに限定されるものではない。例えば、コンピュータプログラム８４ａが使用する独自のアドレスを携帯情報端末毎に割り当て、これを担当者の連絡先のアドレスとすることも可能である。この場合、携帯情報端末において、コンピュータプログラム８４ａをバックグラウンドで実行しておき、連絡要否問合せ情報を常時受信可能な状態にしておけばよい。
【０１２８】
また、担当者のメールアドレス（携帯情報端末で受信可能なメールアドレス）を、担当者の連絡先のアドレスとしてもよい。この場合、当該メールアドレスを宛先とする電子メールで連絡要否の問合せを行うこととなる。また、この電子メールには、連絡が必要ないことを通知するための第１回答情報を管理サーバ３１へ送信するためのＷｅｂページのＵＲＬ(Uniform Resource Locator)と、即座に連絡が必要であることを通知するための第２回答情報を管理サーバ３１へ送信するためのＷｅｂページのＵＲＬと、指定された時刻に連絡が必要であることを通知するための第３回答情報を管理サーバ３１へ送信するためのＷｅｂページのＵＲＬとを含めておき、Ｗｅｂサーバに、上記ＷｅｂページのＨＴＭＬデータを格納しておけばよい。
【０１２９】
また、上記の実施の形態１及び２においては、携帯情報端末として多機能携帯電話機が用いられたが、本発明はそのような実施の形態に限定されない。携帯情報端末は、持ち運び可能な端末装置であって、上記した問合せ回答処理等の連絡要否の問合せを実行可能である端末装置であればよく、例えば、携帯情報端末として、ＰＨＳ（Personal Handy-phone System）、タブレット端末等を使用できる。  また、上記の実施の形態１及び２においては、管理サーバ３１から送信される連絡要否問合せ情報を受信し、問合せ回答処理を実行する装置として、携帯情報端末が用いられたが、必ずしも携帯可能な情報端末に限定されない。例えば、携帯情報端末に代えて、検体分析装置の担当者である検査技師、医師等によって使用されるデスクトップＰＣが用いられてもよい。
【０１３０】
また、上記の実施の形態１及び２においては、医療施設毎に主担当者と副担当者とを定め、主担当者が連絡要否の問合せに所定時間以内に回答しないときに、副担当者にも連絡要否の問合せを行う構成について述べたが、これに限定されるものではない。医療施設毎に１人ずつ担当者を定め、当該担当者に対して連絡要否の問合せを行う構成とすることも可能である。この場合、所定時間以内に担当者から回答がなければ、保守業者のサービスマンが即座に担当者に電話で連絡をすることとしてもよい。
【産業上の利用可能性】
【０１３１】
本発明に係る検体分析装置管理システム、検体分析装置用管理装置、及びコンピュータプログラムは、医療施設に設置された検体分析装置を管理するための検体分析装置管理システム及び検体分析装置用管理装置、並びに前記検体分析装置管理システムに使用されるコンピュータプログラム等として有用である。
【符号の説明】
【０１３２】
１００  検体分析装置管理システム
１１，１２，１３，２１，２２  検体分析装置
１１１ｓ，１１２ｓ，１１３ｓ  センサ部
３１  管理サーバ
３２  管理クライアント
４１，４２  携帯情報端末
７１ａ，８１ａ，９１ａ  ＣＰＵ
７１ｄ，８１ｄ  ハードディスク
９１ｄ  補助記憶装置
９４ａ  コンピュータプログラム
【図１】
2014194401.tif 000003
【図２】
2014194401.tif 000004
【図３】
2014194401.tif 000005
【図４】
2014194401.tif 000006
【図５】
2014194401.tif 000007
【図６】
2014194401.tif 000008
【図７】
2014194401.tif 000009
【図８】
2014194401.tif 000010
【図９】
2014194401.tif 000011
【図１０Ａ】
2014194401.tif 000012
【図１０Ｂ】
2014194401.tif 000013
【図１１】
2014194401.tif 000014
【図１２】
2014194401.tif 000015
【図１３】
2014194401.tif 000016
【図１４】
2014194401.tif 000017
【図１５】
2014194401.tif 000018
【図１６】
2014194401.tif 000019
【図１７】
2014194401.tif 000020